(57)【要約】【課題】軽量かつ薄型で施工性に優れ、しかも低音域から高音域に亘って高い遮音性能を有する遮音パネル１０を提供すること。【解決手段】基板１と、基板１の一の面に貼り合わされた鋼板２と、基板１の他の面に貼り合わされた制振ゴム材３とから、遮音パネル１０を構成した。【選択図】図１
2020193464.tif 000002
【特許請求の範囲】
【請求項１】
基板と、前記基板の一の面に貼り合わされた鋼板と、前記基板の他の面に貼り合わされた制振ゴム材とから成ることを特徴とした遮音パネル。
【請求項２】
前記基板が合成樹脂材から成ることを特徴とした請求項１に記載の遮音パネル。
【請求項３】
前記制振ゴム材がブチルゴム系材料から成ることを特徴とした請求項１または請求項２に記載の遮音パネル。
【発明の詳細な説明】
【技術分野】
【０００１】
本発明は、家屋や集合住宅等の壁材、床材、天井材として好適に使用される遮音パネルに関するものである。
【背景技術】
【０００２】
周知のとおり、家屋や集合住宅の壁、ドア、床、天井等における遮音対策として、遮音パネルを設けることが行われており、従来、各種の遮音パネルが提案されている（例えば下記特許文献１、２参照）。
【０００３】
特許文献１に記載の遮音パネルは、木毛セメント板等から成る軟質合板と、ベニヤ合板等から成る硬質合板との間に鉛板を介在させたものであり、比重の大きい鉛板により良好な遮音性能を得ることができる反面、パネル重量が重くなり、運搬、施工の労力が多くかかる難点があった。
【０００４】
また、特許文献２に記載の遮音パネルは、二枚の金属板の間にロックウール、ガラスウール等を圧縮成形した繊維質マット等を介在させたものであり、繊維質マット等の振動吸収特性を利用して遮音するものである。しかし、この遮音パネルは、比較的に軽量である反面、その厚さが厚く嵩張る難点があった。
【先行技術文献】
【特許文献】
【０００５】
【特許文献１】実開平３−５０１０４号公報
【特許文献２】特開２０００−１２９８１５号公報
【発明の概要】
【発明が解決しようとする課題】
【０００６】
本発明は、従来の遮音パネルに上記のような難点があったことに鑑みて為されたもので、軽量かつ薄型で施工性に優れ、しかも低音域から高音域に亘って高い遮音性能を有する遮音パネルを提供することを目的とする。
【課題を解決するための手段】
【０００７】
本発明に係る遮音パネルは、基板と、前記基板の一の面に貼り合わされた鋼板と、前記基板の他の面に貼り合わされた制振ゴム材とから成ることを特徴としている。
【０００８】
また、本発明に係る遮音パネルは、必要に応じて前記基板を合成樹脂材で構成することができる。
【０００９】
また、本発明に係る遮音パネルは、必要に応じて、前記制振ゴム材をブチルゴム系材料で構成することができる。
【発明の効果】
【００１０】
本発明に係る遮音パネルは、基板の一の面に鋼板が貼り合わされ、この基板の他の面に制振ゴム材が貼り合わされて構成されているので、軽量かつ薄型であり、施工性に優れており、低音域から高音域に亘って優れた遮音性能を発揮する。
【図面の簡単な説明】
【００１１】
【図１】本実施形態の遮音パネルの部分断面図である。
【図２】本実施形態の遮音パネルの施工状態の部分断面図である。
【図３】他の実施形態の遮音パネルの部分断面図である。
【発明を実施するための形態】
【００１２】
本実施形態の遮音パネル１０は、図１に示すように、基板１と、この基板１の一の面である表面に貼り合わされた鋼板２と、基板１の他の面である裏面に貼り合わされた制振ゴム材３とから構成されている。
【００１３】
具体的には、基板１は、横３尺×縦６尺（横９１０ｍｍ×縦１８２０ｍｍ）、厚み１．２ｍｍの合成樹脂材から成り、この基板１の表面の全面に、厚み０．３ｍｍの溶融亜鉛メッキ鋼板材から成る鋼板２が接着剤により接着されている。接着剤には、例えば、ウレタン系、エポキシ系、オレフィン系等の接着剤を採用することができる。
【００１４】
そして、基板１の裏面の全面に、厚み０．５ｍｍの制振ゴム材３が設けられている。本実施形態の制振ゴム材３は、ブチルゴム系材料（イイダ産業株式会社製  ＸＥＴＯＲＯ（登録商標）ＮＶ−αＩＩ）から成り、その自己粘着性により基板１に粘着している。制振ゴム材３における基板１に粘着された面の反対側の面に剥離紙３１が設けられている。
【００１５】
基板１は、必要に応じて、例えばポリプロピレン（ＰＰ）、ポリエチレン（ＰＥ）、ポリエチレンテレフタレート（ＰＥＴ）等の各種の合成樹脂材を採用することができる。合成樹脂製の基板１の厚みは、１〜３ｍｍが好ましい。１ｍｍより小さいと、必要な強度が得られなくなり、３ｍｍより大きいと、パネルが重くなって取扱い性を損ない、また、電動カッターによる現場切断が困難になり、施工性を損なう。また、基板１として、合成樹脂板のほか、例えば、不燃加工を施した板紙や、石膏ボード等を採用してもよく、湿気や負荷による反りなどの変形がないものを選択する。
【００１６】
また、鋼板２の厚みは、０．２〜０．５ｍｍが好ましい。０．２ｍｍより小さいと、必要な遮音性が得られず、０．５ｍｍより大きいと、パネルが重くなって取扱い性を損ない、また、電動カッターによる現場切断が困難になり、施工性を損なう。また、制振ゴム材３の厚みは、０．５〜２．０ｍｍが好ましい。０．５ｍｍより小さいと必要な遮音性が得られず、２．０ｍｍより大きいと、パネルが重くなって取扱い性を損なう。
【００１７】
本実施形態の遮音パネル１０は、剥離紙３１を剥がして制振ゴム材３を露出させ、図２に示すように、既に建て込まれている石膏ボードや合板等の壁下地材Ｂの室内側の面に制振ゴム材３を押し付けることによって、容易に壁下地材Ｂに取り付けることができる。
【００１８】
このように本実施形態の遮音パネル１０は、他の構成部材よりも比重の大きい鋼板２と振動吸収特性を有する制振ゴム材３とを備えているので、振動の伝達を効果的に遮断することができ、優れた遮音性能を有する。
【００１９】
基板１の裏面に制振ゴム材３を貼り合わせただけで、基板１の表面に鋼板２を貼り合わせていないパネルの場合、コインシデンス効果により高音域における遮音性能の低下が見られるが、本実施形態の遮音パネル１０の場合、鋼板２の存在により高音域における遮音性能の低下を改善することができ、低音域から高音域に亘って優れた遮音性能が発揮される。
【００２０】
また、遮音パネル１０は、軽量かつ薄型であるので、その運搬、施工が容易である。そして、鋼板２の裏面に基板１が貼り合わされているので、石膏ボード等の現場切断に通常、使用する電動カッターにより遮音パネル１０を適宜切断することができ、施工性に優れている。鋼板２の裏面に直接、制振ゴム材３を貼り合わせただけで、基板１を貼り合わせていないパネルの場合、現場切断することが困難であるが、本実施形態の遮音パネル１０の場合、基板１の存在により容易に現場で切断することができる。
【００２１】
また、本実施形態の遮音パネル１０は、マグネットを磁着させ得る鋼板２を備えているので、遮音パネル１０を壁下地材等に設置して壁紙を貼り付けた場合、この壁紙の上から鋼板２に対しマグネットを磁着させることができ、壁面の場所を選ばず、所望の位置に掲示物等をマグネットで留めることが可能となる。
【００２２】
以上、本実施形態の遮音パネル１０について説明したが、本発明は他の実施形態でも実施することができる。
【００２３】
例えば、図３に示す遮音パネル２０のように、鋼板２における基板１の貼合せ面とは反対側の面に下地紙４を貼り合わせてもよい。このことで、鋼板２にプライマー処理を施すことなく、そのまま糊剤を用いて壁紙を貼り付けることが可能となる。また、鋼板２の表面を下地紙４で保護することができるので、遮音パネル２０の運搬時や設置時における鋼板２面の傷つきを防ぐことができる。また、運搬時や設置時は勿論、壁紙貼り付け後の鋼板２の錆びを抑制することもできる。鋼板２面に下地紙４を防水性接着剤で全面接着すれば防錆効果をさらに高めることができる。
【００２４】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよい。
【符号の説明】
【００２５】
１０、２０  遮音パネル
１  基板
２  鋼板
３  制振ゴム材
４  下地紙
Ｂ  壁下地材
【図１】
2020193464.tif 000003
【図２】
2020193464.tif 000004
【図３】
2020193464.tif 000005